(57)【要約】  【課題】  容易に移動や再配置を行うことができるデスク兼用パーティションを提供する。  【解決手段】  少なくとも一部に、ユーティリティ固定用ネジ孔を有するボードと、そのボードの下部に固定されたキャスターと、そのボードに、ユーティリティ固定用ネジ孔を用いて固定可能なデスクユニットと、を備えたデスク兼用パーティションとする。ボードの下部にキャスターが固定されているため、デスクの手前側の足を持ち上げれば、キャスターにより全体を容易に移動することができる。所望の位置に配置した後は、デスク手前側の足を床上に置くことにより、デスク兼用パーティションを床上で固定することができる。なお、望ましくは、キャスターも回転固定具（ストッパー）付のものとする。【選択図】  図１
2005240482.tif 000002
【特許請求の範囲】
【請求項１】
a)少なくとも一部に、ユーティリティ固定用ネジ孔を有するボードと、
b)上記ボードの下部に固定されたキャスターと、
c)上記ボードに、上記ユーティリティ固定用ネジ孔を用いて固定可能なデスクユニットと、
を備えることを特徴とする、デスク兼用パーティション。
【請求項２】
上記ボードの両面にデスクユニットを固定したことを特徴とする請求項１に記載のデスク兼用パーティション。
【発明の詳細な説明】
【技術分野】
【０００１】
本発明は、事務用備品として用いられる、デスク兼用パーティションに関する。
【背景技術】
【０００２】
従来、事務室用パーティション（衝立）は、１枚のボードの下部に、左右に張り出した足を固定することにより、自立するようにしていた。なお、複数枚のパーティションを屈曲形に組み合わせ、固定した場合には、そのような足は不要である。
また、パーティションで前方と側方の二方、又は前方と左右の三方を囲った内部の適度な高さに棚板を固定し、デスク（机）を形成するという組み合わせでも使用されている
（例えば、非特許文献１）。
【非特許文献１】株式会社イトーキ、インターネット商品カタログ、[online]、[平成16年2月25日検索]、<http://www.itoki.co.jp/catalog/2004/AllProducts/main.html>
【発明の開示】
【発明が解決しようとする課題】
【０００３】
従来の机兼用パーティションは、足を有するものにせよ、足を使用しないものにせよ、床上に置いた後の移動は考慮されておらず、敢えて移動しようとすると、全体を持ち上げて移動するか、或いは、少し持ち上げて床上をずらせるしかなかった。いずれにせよ、移動には複数人による作業が必要であった。
本発明が解決しようとする課題は、容易に移動や再配置を行うことができるデスク兼用パーティションを提供することである。
【課題を解決するための手段】
【０００４】
上記課題を解決するために成された本発明に係るデスク兼用パーティションは、
a)少なくとも一部に、ユーティリティ固定用ネジ孔を有するボードと、
b)上記ボードの下部に固定されたキャスターと、
c)上記ボードに、上記ユーティリティ固定用ネジ孔を用いて固定可能なデスクユニットと、
を備えることを特徴とする。
【発明の効果】
【０００５】
本発明に係るデスク兼用パーティションでは、ボードの下部にキャスターが固定されているため、デスクの手前側の足を持ち上げれば、キャスターにより全体を容易に移動することができる。所望の位置に配置した後は、デスク手前側の足を床上に置くことにより、デスク兼用パーティションを床上で固定することができる。
なお、望ましくは、キャスターも回転固定具（ストッパー）付のものとする。
【発明を実施するための最良の形態】
【０００６】
本発明の一実施例であるデスク兼用パーティションを図１〜図５により説明する。図１は、本実施例のデスク兼用パーティションの組み立ての手順を示す説明図である。まず、パーティションボード１の両側部の支柱２の下部にキャスター３を取り付ける(a)。キャスター３は、支柱２の長軸回りに回転可能であるものを使用することが望ましい。また、ストッパー付のものを使用することが望ましい。パーティションボード１は、中央の補強桟４を境に分離された上下２段の面で構成され、各面にはほぼ全面に、径5mmのユーティリティ孔がピッチ35mmで穿孔されている。パーティションボード１の材質はプラスチック製、鋼板製のいずれでもよいが、鋼板製とすることにより、マグネットでメモ等を貼付することが可能であるため、便利である。パーティションボード１の高さは、既に一般に販売されている事務所用パーティションの規格に合わせたものとするのが好ましいが、用途に応じて使い分けができるように、それ以外の各種高さのものを製作してもよい。
【０００７】
キャスター３を固定した方を下にしてパーティションボード１を立て、両側の支柱２に略Ｌ字形のデスク用脚５をそれぞれ固定する(b)。なお、パーティションボード１への固定を確実にするために、デスク用脚５の固定側の端部はＬ字形に折り曲げられている（５ａ）。また、デスク用脚５の下端には、角度可変の安定足５ｂが設けられている。
一方、デスク用天板６の裏面には、２本の補強用桟６ａが固定されている(c)。この天板６を、パーティションボード１に固定したデスク用脚５の上に載置し、補強用桟６ａの端部において天板６を脚５にネジで固定する(d)。天板６のパーティションボード側の縁辺の両側には、それぞれ、幅70mm、奥行30mm程度の凹部６ｂが設けられている。これらの凹部６ｂは、デスク６の机上で使用する電話機、パーソナルコンピュータ等のコードを通すためのものである。
こうして完成したデスク兼用パーティションの正面図、側面図、平面図を図２に示す。
【０００８】
パーティションボード１は、
のユーティリティ孔７には、各種ユーティリティを固定することができる。第１の例を図３に示す。この例はブックエンドであり、デスク側に所定の間隔をあけて１対の「コ」字形のフレーム１１を固定する。両フレーム１１の間に本を立てることができる。
【０００９】
第２の例を図４に示す。この例は棚（シェルフ）であり、逆「Ｌ」字形の吊フレーム１２ａと棚板１２ｂで構成される。フレーム１２ａと棚板１２ｂのパーティションボード側がネジで固定される。なお、図４ではデスク側に設けているが、反対側でも構わない。
【００１０】
第３の例を図５に示す。この例はマガジンラックであり、パーティションボード１の裏面にホルダレール１３ａを上下２段に取り付け、これとパーティションボード１の各面の下端に形成されたＵ字形のホルダ１３ｂ（図５の拡大図）とにより、雑誌等を入れるマガジンラックとする。図５では上下２段に設けているが、これはもちろん上段だけ（又は下段だけ）でもよい。なお、このホルダレール１３ａは、本デスク兼用パーティションを壁際に設置する際には、壁との間に所定の隙間を開けるためのスペーサーともなる。また、軽い小物を吊すレールとして使うこともできる。
【００１１】
上記実施例では、パーティションボード１の全面にユーティリティ孔が穿孔されていたが、これは必要な箇所にのみ設けたものであってもよい。
【００１２】
図１、図２に示すように、上記実施例ではパーティションボード１の一方の面にのみデスクユニットを取り付けていたが、両面にデスクユニットを取り付けることもできる。これを可能にするため、パーティションボード１の両側の支柱２には予め両面にネジ孔を設けておくことが望ましい。なお、片面しか使用しない場合に見栄えが悪くならないように、そのネジ孔には同色のプラスチックカバーを取り付けておくことが望ましい。
【００１３】
支柱２は、本願発明者による別の特許出願（特願2002-322907号）に記載のものを好適に利用することができる。この支柱２を使用することにより、本発明に係るパーティションボード１を連接することができるとともに、支柱２の上部に棚板８を固定することができるようになる。
【００１４】
これらの応用例を図６に示す。なお、この図に示すように、支柱上部の棚板８をデスクとは反対側に取り付けることにより、会社の受付の来客カウンターのように使用することもできる。
【図面の簡単な説明】
【００１５】
【図１】本発明の一実施例であるデスク兼用パーティションの組み立て方法を示す説明図。
【図２】実施例のデスク兼用パーティションの完成状態の正面図(a)、側面図(b)及び平面図(c)。
【図３】実施例のデスク兼用パーティションの第１の使用例の斜視図。
【図４】実施例のデスク兼用パーティションの第２の使用例の斜視図。
【図５】実施例のデスク兼用パーティションの第３の使用例の斜視図。
【図６】本発明のデスク兼用パーティションを用いたシステムの構成例を示す斜視図。
【符号の説明】
【００１６】
１…パーティションボード
２…支柱
３…キャスター
４…補強桟
５…デスク用脚
５ａ…固定側の端部
５ｂ…安定足（角度可変）
６…デスク用天板
６ａ…補強用桟
６ｂ…凹部
７…ユーティリティ孔
８…棚板
１１…フレーム
１２ａ…吊フレーム
１２ｂ…棚板
１３…吊レール
【図１】
2005240482.tif 000003
【図２】
2005240482.tif 000004
【図３】
2005240482.tif 000005
【図４】
2005240482.tif 000006
【図５】
2005240482.tif 000007
【図６】
2005240482.tif 000008